(57)【要約】【課題】ユーザが録画をしようと思っていた番組の録画予約忘れをより好適に防止することができる情報記録装置を提供することである。【解決手段】情報記録装置１において、判別手段（ＣＰＵ１１２、判別プログラム１１５ｂ）及び指定手段（ＣＰＵ１１２、指定プログラム１１５ｃ）により、記録手段（ハードディスク７１）に記録された録画履歴のうち同一の番組タイトル情報を含む番組で、所定条件を具備する番組を自動録画番組に指定する。そして、検索手段（ＣＰＵ１１２、検索プログラム１１５ｄ）により、指定手段で指定された番組が、受信手段により受信された番組案内情報に含まれているか検索し、受信手段により受信された番組案内情報に含まれているとされた番組タイトル情報を含む番組を録画予約手段（ＣＰＵ１１２、録画予約プログラム１１５ｅ）により自動録画予約を行う。【選択図】図１
2007221617.tif 000002
【特許請求の範囲】
【請求項１】
番組タイトル情報及び番組ジャンル情報を含む録画履歴情報を記憶する記録手段と、
所定期間が経過した録画履歴情報を前記記録手段から消去する消去手段と、
番組タイトル情報を含む番組案内情報を受信する受信手段と、
前記記録手段に記録された録画履歴情報から番組タイトル情報及び番組ジャンル情報を取得し、取得された番組タイトル情報に同一の番組タイトル情報があるか否かを判別する判別手段と、
前記判別手段により、同一の番組タイトル情報であると判別された番組が、所定回数以上録画されたものであり、且つ、所定の番組ジャンル情報の番組である場合、当該番組を自動録画番組に指定する指定手段と、
前記指定手段により指定された番組の番組タイトル情報が、前記受信手段により受信された番組案内情報に含まれているか否かを所定時間毎に検索する検索手段と、
前記検索手段によって、前記受信手段により受信された番組案内情報に含まれているとされた番組タイトル情報を含む番組を録画予約する録画予約手段と、
前記録画予約手段により録画予約されて自動録画された録画番組に関する録画番組情報を識別可能な表示画面を表示手段に表示させる表示制御手段と、
を備えることを特徴とする情報記録装置。
【請求項２】
番組タイトル情報を含む録画履歴情報を記憶する記録手段と、
番組タイトル情報を含む番組案内情報を受信する受信手段と、
前記記録手段に記録された録画履歴情報から番組タイトル情報を取得し、取得された番組タイトル情報に同一の番組タイトル情報があるか否かを判別する判別手段と、
前記判別手段により、同一の番組タイトル情報であると判別された番組が、所定回数以上録画されたものである場合、当該番組を自動録画番組に指定する指定手段と、
前記指定手段により指定された番組の番組タイトル情報が、前記受信手段により受信された番組案内情報に含まれているか否かを所定時間毎に検索する検索手段と、
前記検索手段によって、前記受信手段により受信された番組案内情報に含まれているとされた番組タイトル情報を含む番組を録画予約する録画予約手段と、
を備えることを特徴とする情報記録装置。
【請求項３】
所定期間が経過した録画履歴情報を前記記録手段から消去する消去手段をさらに備えることを特徴とする請求項２に記載の情報記録装置。
【請求項４】
前記録画履歴情報は、番組ジャンル情報を含み、
前記判別手段は、前記記録手段に記録された録画履歴情報から番組ジャンル情報を取得し、
前記指定手段は、前記判別手段により、同一の番組タイトル情報であると判別された番組が、所定回数以上録画されたものであり、且つ、所定の番組ジャンル情報の番組である場合、当該番組を自動録画番組に指定することを特徴とする請求項２又は３に記載の情報記録装置。
【請求項５】
前記録画予約手段により録画予約されて自動録画された録画番組に関する録画番組情報を識別可能な表示画面を表示手段に表示させる表示制御手段をさらに備えることを特徴とする請求項２から４のいずれかに記載の情報記録装置。
【発明の詳細な説明】
【技術分野】
【０００１】
本発明は、電子番組ガイド（ＥＰＧ：Electrical Program Guide）などの番組案内情報を利用して録画予約を行うことができる情報記録装置に関する。
【背景技術】
【０００２】
近年、固定ディスク駆動装置（以下で単にＨＤＤという）を搭載したハードディスクビデオレコーダー（以下で単に情報記録装置ともいう）が使用されるに至ってきた。
【０００３】
当該情報記録装置には、例えば、情報記録装置に対して過去に録画した番組と同じ番組の録画予約を行う場合においては、録画した番組の開始曜日・開始時刻・終了時刻または番組の長さ・チャンネル・番組名などの情報に基づき、その番組と同じ開始曜日・開始時刻・終了時刻・チャンネル・番組名などの予約情報を作成し、次回以降の分の予約を設定する装置がある（特許文献１参照）。
【０００４】
また、ディスク型記録媒体に、予約番組を記録するに際して、既に記録されている番組に関する情報に基づいて、一週間前の同日時に記録された番組を削除して記録したり、記録番組数が所定数以上にならないように、記録された古い予約番組を優先的に削除して記録したり、再生された番組を優先的に削除して記録する装置がある（特許文献２参照）。
【０００５】
また、過去に録画された番組の録画データに基づき、次回の番組の録画に必要な録画開始時刻と録画終了時刻を、番組の冒頭部分や最後の部分がカットされないように、所定の時間、自動的に補正する装置がある（特許文献３参照）。
【０００６】
さらに、ユーザが過去の録画履歴の中からそこに存在する内容と同じタイマー録画予約の設定を望んだ場合、放送信号に付加される各種の番組情報を利用したタイマー録画予約設定を可能とすることにより、録画した同一番組を繰り返して連続録画するためのタイマー録画予約を簡単な操作で確実にしかも短時間で行うことのできる記録再生装置がある（特許文献４参照）。
【特許文献１】特開２００４−２６０４０９号公報
【特許文献２】特開２００３−１７９８３９号公報
【特許文献３】特開２００５−２７７７５７号公報
【特許文献４】特開２００１−２５７９７４号公報
【発明の開示】
【発明が解決しようとする課題】
【０００７】
しかしながら、上記特許文献１〜４に開示された装置では、過去に録画した番組と同一の番組を録画予約する場合、予約する番組の開始日・開始時刻・終了時刻やチャンネル等次回以降分の番組案内情報を利用した録画予約設定をユーザが行わない限り、同一番組を録画することができないので、ユーザが録画しようと思っていた番組の録画予約忘れを防止するということに対して十分に対応しきれていなかった。
【０００８】
本発明の課題は、ユーザが録画をしようと思っていた番組の録画予約忘れをより好適に防止することができる情報記録装置を提供することである。
【課題を解決するための手段】
【０００９】
上記課題を解決するため、請求項１に記載の発明による情報記録装置は、番組タイトル情報及び番組ジャンル情報を含む録画履歴情報を記憶する記録手段と、
所定期間が経過した録画履歴情報を前記記録手段から消去する消去手段と、
番組タイトル情報を含む番組案内情報を受信する受信手段と、
前記記録手段に記録された録画履歴情報から番組タイトル情報及び番組ジャンル情報を取得し、取得された番組タイトル情報に同一の番組タイトル情報があるか否かを判別する判別手段と、
前記判別手段により、同一の番組タイトル情報であると判別された番組が、所定回数以上録画されたものであり、且つ、所定の番組ジャンル情報の番組である場合、当該番組を自動録画番組に指定する指定手段と、
前記指定手段により指定された番組の番組タイトル情報が、前記受信手段により受信された番組案内情報に含まれているか否かを所定時間毎に検索する検索手段と、
前記検索手段によって、前記受信手段により受信された番組案内情報に含まれているとされた番組タイトル情報を含む番組を録画予約する録画予約手段と、
前記録画予約手段により録画予約されて自動録画された録画番組に関する録画番組情報を識別可能な表示画面を表示手段に表示させる表示制御手段と、
を備えることを特徴とする。
【００１０】
請求項２に記載の発明による情報記録装置は、番組タイトル情報を含む録画履歴情報を記憶する記録手段と、
番組タイトル情報を含む番組案内情報を受信する受信手段と、
前記記録手段に記録された録画履歴情報から番組タイトル情報を取得し、取得された番組タイトル情報に同一の番組タイトル情報があるか否かを判別する判別手段と、
前記判別手段により、同一の番組タイトル情報であると判別された番組が、所定回数以上録画されたものである場合、当該番組を自動録画番組に指定する指定手段と、
前記指定手段により指定された番組の番組タイトル情報が、前記受信手段により受信された番組案内情報に含まれているか否かを所定時間毎に検索する検索手段と、
前記検索手段によって、前記受信手段により受信された番組案内情報に含まれているとされた番組タイトル情報を含む番組を録画予約する録画予約手段と、
を備えることを特徴とする。
【００１１】
請求項３に記載の発明は、請求項２に記載の情報記録装置において、
所定期間が経過した録画履歴情報を前記記録手段から消去する消去手段をさらに備えることを特徴とする。
【００１２】
請求項４に記載の発明は、請求項２又は３に記載の情報記録装置において、前記録画履歴情報は、番組ジャンル情報を含み、
前記判別手段は、前記記録手段に記録された録画履歴情報から番組ジャンル情報を取得し、
前記指定手段は、前記判別手段により、同一の番組タイトル情報であると判別された番組が、所定回数以上録画されたものであり、且つ、所定の番組ジャンル情報の番組である場合、当該番組を自動録画番組に指定することを特徴とする。
【００１３】
請求項５に記載の発明は、請求項２〜４のいずれかに記載の情報記録装置において、前記録画予約手段により録画予約されて自動録画された録画番組に関する録画番組情報を識別可能な表示画面を表示手段に表示させる表示制御手段をさらに備えることを特徴とする。
【発明の効果】
【００１４】
請求項１に記載の発明によれば、記録手段によって、番組タイトル情報及び番組ジャンル情報を含む録画履歴情報を記憶することができ、消去手段によって、所定期間が経過した録画履歴情報を記録手段から消去することができ、受信手段によって、番組タイトル情報を含む番組案内情報を受信することができ、判別手段によって、記録手段に記録された録画履歴情報から番組タイトル情報及び番組ジャンル情報を取得し、取得された番組タイトル情報に同一の番組タイトル情報があるか否かを判別することができ、指定手段によって、判別手段により、同一の番組タイトル情報であると判別された番組が、所定回数以上録画されたものであり、且つ、所定の番組ジャンル情報の番組である場合、当該番組を自動録画番組に指定することができ、検索手段によって、指定手段により指定された番組の番組タイトル情報が、受信手段により受信された番組案内情報に含まれているか否かを所定時間毎に検索することができ、録画予約手段によって、検索手段により受信手段が受信した番組案内情報に含まれているとされた番組タイトル情報を含む番組を録画予約することができる。また、表示制御手段によって、録画予約手段により録画予約されて自動録画された録画番組に関する録画番組情報を識別可能な表示画面を表示手段に表示させることができる。
すなわち、過去に録画した番組の録画履歴情報に含まれる番組タイトル情報及び番組ジャンル情報から、所定の番組タイトル情報及び番組ジャンル情報を含む番組を自動的に録画番組に指定し、当該番組を録画予約することができる。したがって、ユーザは何ら予約操作を行うことなく、過去に何度か録画した番組と同一番組を録画予約することができることとなって、ユーザが録画しようと思っていた番組の録画予約忘れをより好適に防止することができる。また、指定手段において、番組ジャンル情報を指定条件に加えることで、より確実にユーザ所望の番組だけを録画予約することができる。
また、所定期間が経過した録画履歴情報を記録手段から消去することができるので、録画予約を行う可能性の低い録画履歴情報を効率よく消去して、記録容量の節約を図ることができる。
さらに、表示制御手段により、録画予約手段により録画予約されて自動録画された録画番組とユーザ手動による通常の録画番組を識別することができるので、ユーザにとってさらに使い勝手が良い。
【００１５】
請求項２に記載の発明によれば、記録手段によって、番組タイトル情報を含む録画履歴情報を記憶することができ、受信手段によって、番組タイトル情報を含む番組案内情報を受信することができ、判別手段によって、記録手段に記録された録画履歴情報から番組タイトル情報を取得し、取得された番組タイトル情報に同一の番組タイトル情報があるか否かを判別することができ、指定手段によって、判別手段により、同一の番組タイトル情報であると判別された番組が、所定回数以上録画されたものである場合、当該番組を自動録画番組に指定することができ、検索手段によって、指定手段により指定された番組の番組タイトル情報が、受信手段により受信された番組案内情報に含まれているか否かを所定時間毎に検索することができ、録画予約手段によって、検索手段により受信手段が受信した番組案内情報に含まれているとされた番組タイトル情報を含む番組を録画予約することができる。
すなわち、過去に録画した番組の録画履歴情報に含まれる番組タイトル情報から、所定の番組タイトル情報を含む番組を自動的に録画番組に指定し、当該番組を録画予約することができる。
したがって、ユーザは何ら予約操作を行うことなく、過去に何度か録画した番組と同一番組を録画予約することができることとなって、ユーザが録画しようと思っていた番組の録画予約忘れをより好適に防止することができる。
【００１６】
請求項３に記載の発明によれば、請求項２に記載の発明と同様の効果が得られることは無論のこと、消去手段によって、所定期間が経過した録画履歴情報を記録手段から消去することができる。
したがって、録画予約を行う可能性の低い録画履歴情報を効率よく消去して、記録容量の節約を図ることができる。
【００１７】
請求項４に記載の発明によれば、請求項２又は３に記載の発明と同様の効果が得られることは無論のこと、録画履歴情報は、番組ジャンル情報を含み、判別手段は、記録手段に記録された録画履歴情報から番組ジャンル情報を取得し、指定手段によって、判別手段により、同一の番組タイトル情報であると判別された番組が、所定回数以上録画されたものであり、且つ、所定の番組ジャンル情報の番組である場合、当該番組を自動録画番組に指定することができる。
すなわち、過去に録画した番組の録画履歴情報に含まれる番組タイトル情報及び番組ジャンル情報から、所定の番組タイトル情報及び番組ジャンル情報を含む番組を自動的に録画番組に指定し、当該番組を録画予約することができる。
したがって、番組ジャンル情報を指定条件に加えることで、より確実にユーザ所望の番組だけを録画予約することができる。
【００１８】
請求項５に記載の発明によれば、請求項２〜４に記載の発明と同様の効果が得られることは無論のこと、表示制御手段によって、録画予約手段により録画予約されて自動録画された録画番組に関する録画番組情報を識別可能な表示画面を表示手段に表示させることができる。
したがって、録画予約手段により録画予約されて自動録画された録画番組とユーザ手動による通常の録画番組を識別することができるので、ユーザにとってさらに使い勝手が良い。
【発明を実施するための最良の形態】
【００１９】
以下、図面を参照しながら、本発明の実施の形態を詳細に説明する。
なお、本実施の形態では、情報記録装置として、ハードディスクに対してデータの記録を行うハードディスクレコーダを例に説明する。しかし、情報記録装置はこれに限定されない。
【００２０】
まず、情報記録装置１の構成について、図１を参照して説明する。
情報記録装置１は、ユーザが各種指示を遠隔操作によって入力するためのリモートコントロール装置（以下、リモコンという。）２と、放送信号を受信するアンテナ３と、アンテナ３により受信された放送信号から所定の放送チャンネルの放送信号を選局するチューナ４と、チューナ４から出力された映像／音声データに所定の信号処理を行う入力インターフェース部５と、入力インターフェース部５から出力された映像／音声データに圧縮処理を行うエンコーダ６と、情報記録装置１に内蔵されたハードディスク７１に対して映像／音声データの記録及び再生を行うＨＤＤ部７と、ＨＤＤ部７から出力された映像／音声データに伸張処理を行うデコーダ８と、デコーダ８から出力された映像／音声データに対して所定の信号処理を行う出力インターフェース部９と、リモコン２からの入力操作信号を受信するとともに、当該入力操作信号を制御部１１に出力するリモコン信号受光部１０と、情報記録装置１全体を統括制御する制御部１１と、各部を接続する制御バス１２と、を備えて構成されている。
【００２１】
アンテナ３は、屋外において所定の方向に向けて配置されており、記録モードにおいて、図示しないテレビジョン放送局から発信される高周波の放送信号（RF信号）を受信して、当該放送信号をチューナ４に出力する。
【００２２】
チューナ４は、アンテナ３によって、当該放送信号の周波数を選局するための制御部１１からの制御信号に応じて、特定周波数帯の放送信号を受信する。そして当該受信した放送信号を所定の中間周波数を有するＩＦ（中間周波：Intermediate Frequency）信号に変換して、入力インターフェース部５に出力する。
【００２３】
入力インターフェース部５は、例えば、チューナ４から出力されたＩＦ信号に対してＡ／Ｄ変換、誤り訂正等の各種入力インターフェース処理を施し、所定の映像／音声データに変換してエンコーダ６に出力する。
【００２４】
エンコーダ６は、例えば、入力インターフェース部５から出力された映像データを、ＭＰＥＧ（Moving Picture Experts Group）方式に従って圧縮するとともに、音声データをＭＰＥＧオーディオ方式に従って圧縮し、ＨＤＤ部７においてハードディスク７１に書き込み可能な所定の映像／音声データに変換する。
当該エンコーダ６において生成された映像／音声データは、ＨＤＤ部７に出力されることとなる。
【００２５】
ＨＤＤ部７は、例えば、ＡＴＡ（AT Attachment）規格を採用しており、内蔵されたハードディスク７１と、ハードディスク７１に対するデータの記録或いはハードディスク７１に記録されたデータの読み出しを行う磁気ヘッド７２と、ハードディスク７１を回転駆動させるとともに、磁気ヘッド７２をハードディスク７１の半径方向に移動させるための駆動部７３と、等を備えて構成されている。ハードディスク７１は、非磁性体のディスク基板（図示省略）と、その上に設けられた磁性層（図示省略）と、を備えて成り、磁気ヘッド７２とハードディスク７１との間に、電流を供給することにより磁界を発生する微小なギャップを有している。
【００２６】
ＨＤＤ部７の構成について、さらに詳しく説明する。
ハードディスク７１は、図示は省略するが、システム管理領域と、タイムシフト領域と、記録ファイル領域と、を備えており、さらに、記録ファイル領域は、ヘッダ領域及びコンテンツ領域を含む構成となっている。ヘッダ領域には、放送番組等のタイトル情報、ジャンル情報、録画時間等のデータが格納され、記録が行われる映像／音声データ等のコンテンツデータは、コンテンツ領域に格納される。当該記録領域は、ハードディスク７１に対する記録の指示に基づいて、映像／音声データの記録、また、番組タイトル情報及び番組ジャンル情報を含む録画履歴情報を記憶する記録手段として機能する。
【００２７】
デコーダ８は、ＨＤＤ部７から出力された映像データを、ＭＰＥＧ方式に従って伸張するとともに、音声データをＭＰＥＧオーディオ方式に従って伸張し、所定の映像／音声データに変換する。
当該デコーダ８において生成された映像／音声データは、出力インターフェース部９に出力されることとなる。
【００２８】
出力インターフェース部９は、デコーダ８から出力された映像／音声データにＤ／Ａ変換等の各種出力インターフェース処理を施し、ＮＴＳＣ規格等の映像／音声データを生成する。生成された映像／音声データは、情報記録装置１に接続されたテレビジョン受像機２００の図示しないディスプレイ、スピーカ等に出力されることとなる。
【００２９】
リモコン信号受光部１０は、リモコン２に備わる各種キーがユーザにより押下操作されることにより出力された赤外線等の入力操作信号を受信し、当該入力操作信号を制御部１１に出力する。
【００３０】
制御部１１は、Ｉ／Ｏポート１１１と、ＣＰＵ（Central Processing Unit）１１２と
、計時部１１３と、メモリ部１１４と、ＲＯＭ（Read Only Memory）１１５と、等を備えて構成されている。
【００３１】
ＣＰＵ１１２は、情報記録装置１の各部からＩ／Ｏポート１１１を介して入力された入力信号及びリモコン２の各種キーの押下操作によってリモコン信号受光部１０及びＩ／Ｏポート１１１を介して入力された入力操作信号等に応じて、ＲＯＭ１１５に格納された各種プログラムを実行するとともに、Ｉ／Ｏポート１１１を介して各部に出力信号を出力することによって、情報記録装置１の動作全般を統括制御する。
【００３２】
計時部１１３は、例えば、現在時刻を計時しており、ＣＰＵ１１２からの指示出力に応じて、計時した現在時刻データをＣＰＵ１１２に出力する。
【００３３】
メモリ部１１４は、図示しないＲＡＭ（Random Access Memory）を備え、ＣＰＵ１１２によって各種プログラムが実行される際に生じる処理結果や、入力されたデータ等を当該ＲＡＭに記憶する。
具体的には、メモリ部１１４には、自動録画番組に指定された番組タイトル情報を含む指定番組情報を記憶する指定番組情報記憶部１１４ａと、録画予約された番組タイトル情報を含む録画予約情報を記憶する録画予約情報記憶部１１４ｂと、を備えている。
なお、メモリ部１１４に番組タイトル情報及び番組ジャンル情報を含む録画履歴情報を記憶する録画履歴情報記憶部を備える構成でもよい。
【００３４】
ＲＯＭ１１５は、例えば、記録制御プログラム１１５ａ、判別プログラム１１５ｂ、指定プログラム１１５ｃ、検索プログラム１１５ｄ、録画予約プログラム１１５ｅ、消去プログラム１１５ｆ、表示制御プログラム１１５ｇ等を備えて構成されている。
【００３５】
記録制御プログラム１１５ａは、例えば、ＣＰＵ１１２に、現在録画されている番組の録画履歴の記録動作を開始するべく、記録開始指令を発する機能を実現させるプログラムである。
具体的には、ＣＰＵ１１２は、記録制御プログラム１１５ａを実行することにより、現在録画されている番組の番組案内情報に基づき、録画履歴情報の記録を実行するようにＨＤＤ部７等の制御を行う。また、指定プログラム１１５ｃを実行することにより、指定番組情報記憶部１１４ａに自動録画番組に指定された番組タイトル情報を含む指定番組情報を記憶し、また、録画予約情報記憶部１１４ｂに録画予約された番組タイトル情報を含む録画予約情報を記憶するようにメモリ部１１４の制御を行う。
【００３６】
判別プログラム１１５ｂは、ＣＰＵ１１２に、ハードディスク７１に記録された録画履歴情報から番組タイトル情報及び番組ジャンル情報を取得し、取得された番組タイトル情報に同一の番組タイトル情報があるか否かを判別する機能を実現させるプログラムである。
具体的には、ＣＰＵ１１２は、判別プログラム１１５ｂを実行することにより、ハードディスク７１に記録された録画履歴情報夫々について番組タイトル情報を取得し、取得した番組タイトル情報夫々を比較し、同一の番組タイトル情報があるか否かを判別する処理を行う。
なお、番組タイトル情報は、例えば、“○○ロードショウ「×××」”とあれば、“○○ロードショウ”の記載部分のみを指す。また、番組タイトル情報の取得方法は、番組タイトルの頭文字から一文字づつ取得していき、番組タイトル内に「の文字が検出された段階で取得を止め、そこまで取得された文字列を番組タイトル情報とするものである。
【００３７】
指定プログラム１１５ｃは、ＣＰＵ１１２に、判別プログラム１１５ｂの実行により、同一の番組タイトル情報であると判別された番組が、所定回数以上録画されたものであり、且つ、所定の番組ジャンル情報の番組である場合、当該番組を自動録画番組に指定する機能を実現させるプログラムである。
具体的には、ＣＰＵ１１２は、指定プログラム１１５ｃを実行することにより、判別プログラム１１５ｂで同一の番組タイトル情報であると判別された番組の録画回数を算出し、当該録画回数が予め設定された録画回数以上であるとともに、判別プログラム１１５ｂを実行することにより、ハードディスク７１に記録された録画履歴情報から取得した当該番組の番組ジャンル情報が所定の番組ジャンル情報の場合に、自動録画番組に指定する処理を行う。なお、指定プログラム１１５ｃを実行するタイミングは、情報記録装置１の主電源投入時や日付変更時等、ユーザ所望のタイミングを設定することができる。
【００３８】
検索プログラム１１５ｄは、ＣＰＵ１１２に、指定プログラム１１５ｃの実行により、指定された番組の番組タイトル情報が、アンテナ３により受信した番組案内情報に含まれているか否かを所定時間毎に検索する機能を実現させるプログラムである。
具体的には、ＣＰＵ１１２は、検索プログラム１１５ｄを実行することにより、予め設定された時間に、アンテナ３により受信した番組案内情報を検索し、指定プログラム１１５ｄにより指定された自動録画番組の番組タイトル情報が当該番組案内情報に含まれている場合、録画予約プログラム１１５ｅを実行させる処理を行う。
【００３９】
録画予約プログラム１１５ｅは、ＣＰＵ１１２に、検索プログラム１１５ｄの実行により、受信した番組案内情報に含まれているとされた番組タイトル情報を含む番組を録画予約する機能を実現させるプログラムである。
具体的には、ＣＰＵ１１２は、録画予約プログラム１１５ｅを実行することにより、録画予約される番組の番組案内情報をメモリ部１１４に格納する処理を行う。そして、格納された番組案内情報に基づいて、ＣＰＵ１１２により記録制御プログラム１１５ａ等が実行されることとなる。
【００４０】
消去プログラム１１５ｆは、ＣＰＵ１１２に、所定期間が経過した録画履歴情報をハードディスク７１から消去する機能を実現させるプログラムである。
具体的には、ＣＰＵ１１２は、消去プログラム１１５ｆを実行することにより、ハードディスク７１に記録された録画履歴情報の録画日時と予め設定された録画履歴情報の記録期間とを比較し、当該予め設定された録画履歴情報の記録期間を経過した録画履歴情報がある場合、ハードディスク７１から当該録画履歴情報を自動的に消去するようにＨＤＤ部７の制御を行う。
【００４１】
表示制御プログラム１１５ｇは、録画予約プログラム１１５ｅの実行により録画予約されて自動録画された録画番組に関する録画番組情報を識別可能な表示画面をテレビジョン受像機２００に表示させる機能を実現させるプログラムである。
具体的には、図２（ａ）に示すように、ＣＰＵ１１２は、表示制御プログラム１１５ｇを実行することにより、録画番組に関する録画番組情報一覧表示において、自動録画番組の項目を設け、自動録画された録画番組であれば、識別可能な印（例えば、図２（ａ）に示す黒まる）を当該項目に表示させるように制御する。
また、図２（ｂ）に示すように、自動録画された番組に関する録画番組情報を通常の録画番組情報と別個の表示画面として表示させるように制御しても良い。
【００４２】
＜情報記録装置による処理＞
次に、情報記録装置１による各種処理について説明する。
【００４３】
（通常動作処理）
情報記録装置１による通常動作に関する処理について、図３のフローチャートを参照して説明する。
【００４４】
まず、ＣＰＵ１１２は、自動録画番組指定処理を行う時間になったか否かを判断する（ステップＳ１）。
【００４５】
ステップＳ１で、ＣＰＵ１１２は、自動録画番組指定処理を行う時間になったと判断すると（ステップＳ１；Ｙｅｓ）、ステップＳ２に進む。
【００４６】
一方、ステップＳ１で、ＣＰＵ１１２は、自動録画番組指定処理を行う時間になっていないと判断すると（ステップＳ１；Ｎｏ）、ステップＳ２及びステップＳ３をスキップして、ステップＳ４に進み、通常動作処理を行う。
【００４７】
次いで、ステップＳ２で、ＣＰＵ１１２は、後述する自動録画番組指定処理を行う（ステップＳ２）。
【００４８】
次いで、ステップＳ３で、ＣＰＵ１１２は、後述する自動録画予約設定処理を行う（ステップＳ３）。
【００４９】
次いで、ステップＳ４で、ＣＰＵ１１２は、通常動作処理を行い（ステップＳ４）、ステップＳ１以降の処理を繰り返して行う。
【００５０】
（自動録画番組指定処理）
図３のステップＳ３の情報記録装置１による自動録画番組指定処理について、図４のフローチャートを参照して説明する。
【００５１】
まず、ＣＰＵ１１２は、消去プログラム１１５ｆを実行することにより、ハードディスク７１に所定期間が経過した録画履歴情報があるか否かを判断する（ステップＳ１１）。  
【００５２】
ステップＳ１１で、ＣＰＵ１１２は、所定期間が経過した録画履歴情報があると判断すると（ステップＳ１１；Ｙｅｓ）、当該所定期間が経過した録画履歴情報を消去する（ステップＳ１２）
【００５３】
一方、ステップＳ１１で、ＣＰＵ１１２は、ハードディスク７１に所定期間が経過した録画履歴情報がないと判断すると（ステップＳ１１；Ｎｏ）、ステップＳ１２をスキップして直接ステップＳ１３に進む。
【００５４】
次いで、ステップＳ１３において、判別プログラム１１５ｂを実行することにより、ＣＰＵ１１２は、録画履歴情報に同一の番組タイトル情報があるか否かを判別する（ステップＳ１３）。
【００５５】
ステップＳ１３で、ＣＰＵ１１２は、録画履歴情報に同一の番組タイトル情報があると判断すると（ステップＳ１３；Ｙｅｓ）、ステップＳ１４に進む。
【００５６】
一方、ステップＳ１３で、ＣＰＵ１１２は、録画履歴情報に同一の番組タイトル情報がないと判断すると（ステップＳ１３；Ｎｏ）、スキップＳ１４、スキップＳ１５及びスキップＳ１６をスキップして本処理を終了する。
【００５７】
次いで、ステップＳ１４において、指定プログラム１１５ｃを実行することにより、ＣＰＵ１１２は、当該同一番組タイトル情報を有する番組の録画回数が所定回数以上か否かを判断する（ステップＳ１４）。
【００５８】
ステップＳ１４で、ＣＰＵ１１２は、所定回数以上であると判断すると（ステップＳ１４；Ｙｅｓ）、ステップＳ１５に進む。
【００５９】
一方、ステップＳ１４で、ＣＰＵ１１２は、所定回数以上でないと判断すると（ステップＳ１４；Ｎｏ）、ステップＳ１５及びステップＳ１６をスキップして本処理を終了する。
【００６０】
次いで、ステップＳ１５において、ＣＰＵ１１２は、指定プログラム１１５ｃを実行することにより、同一番組タイトルの番組が所定の番組ジャンルか否かを判断する（ステップＳ１５）。
【００６１】
ステップＳ１５で、ＣＰＵ１１２は、同一番組タイトルの番組が所定の番組ジャンルであると判断すると（ステップＳ１５；Ｙｅｓ）、ステップＳ１６に進む。
【００６２】
一方、ステップＳ１５で、ＣＰＵ１１２は、同一番組タイトルの番組が所定の番組ジャンルでないと判断すると（ステップＳ１５；Ｎｏ）、ステップＳ１６をスキップして本処理を終了する。
【００６３】
次いで、ステップＳ１６において、ＣＰＵ１１２は、当該同一番組タイトルの番組を自動録画番組に指定し（ステップＳ１６）、本処理を終了する。
【００６４】
（自動録画番組予約設定処理）
図３のステップＳ３の情報記録装置１による自動録画番組予約設定処理について、図５のフローチャートを参照して説明する。
【００６５】
まず、ＣＰＵ１１２は、アンテナ３より番組案内情報を受信する（ステップＳ２１）。
【００６６】
次いで、ＣＰＵ１１２は、検索プログラム１１５ｄを実行することにより、受信した番組案内情報に自動録画番組に指定された番組が含まれているか否かを検索する（ステップＳ２２）。
【００６７】
ステップＳ２２で、ＣＰＵ１１２は、受信した番組案内情報に自動録画番組に指定された番組が含まれていると判断すると（ステップＳ２２；Ｙｅｓ）、ステップＳ２３に進む。
【００６８】
一方、ステップＳ２２で、ＣＰＵ１１２は、受信した番組案内情報に自動録画番組に指定された番組が含まれていないと判断すると（ステップＳ２２；Ｎｏ）、ステップＳ２３をスキップして、本処理を終了する。
【００６９】
次いで、ＣＰＵ１１２は、ステップＳ２２の検索の結果、受信した番組案内情報に自動録画番組に指定された番組が含まれていると判断された番組を自動録画予約として設定し（ステップＳ２３）、本処理を終了する。
【００７０】
以上説明した本発明にかかる情報記録装置１によれば、記録手段であるハードディスク７１によって、番組タイトル情報及び番組ジャンル情報を含む録画履歴情報を記憶することができ、ＣＰＵ１１２による消去プログラム１１５ｇによって、所定期間が経過した録画履歴情報を記録手段から消去することができ、受信手段であるアンテナ３によって、番組タイトル情報を含む番組案内情報を受信することができ、判別プログラム１１５ｂによって、記録手段に記録された録画履歴情報から番組タイトル情報及び番組ジャンル情報を取得し、取得された番組タイトル情報に同一の番組タイトル情報があるか否かを判別することができ、指定プログラム１１５ｃによって、判別プログラム１１５ｂにより、同一の番組タイトル情報であると判別された番組が、所定回数以上録画されたものであり、且つ、所定の番組ジャンル情報の番組である場合、当該番組を自動録画番組に指定することができ、検索プログラム１１５ｄによって、指定プログラム１１５ｃにより指定された番組の番組タイトル情報が、受信手段であるアンテナ３により受信された番組案内情報に含まれているか否かを所定時間毎に検索することができ、録画予約プログラム１１５ｅによって、検索プログラム１１５ｄにより、受信手段により受信された番組案内情報に含まれているとされた番組タイトル情報を含む番組を録画予約することができる。また、表示制御プログラム１１５ｄによって、録画予約プログラム１１５ｅにより録画予約されて自動録画された録画番組に関する録画番組情報を識別可能な表示画面を表示手段に表示させることができる。
すなわち、過去に録画した番組の録画履歴情報に含まれる番組タイトル情報及び番組ジャンル情報から、所定の番組タイトル情報及び番組ジャンル情報を含む番組を自動的に録画番組に指定し、当該番組を録画予約することができる。したがって、ユーザは何ら予約操作を行うことなく、過去に何度か録画した番組と同一番組を録画予約することができることとなって、ユーザが録画しようと思っていた番組の録画予約忘れをより好適に防止することができる。また、指定手段において、番組ジャンル情報を指定条件に加えることで、より確実にユーザ所望の番組だけを録画予約することができる。
また、所定期間が経過した録画履歴情報を記録手段から消去することができるので、録画予約を行う可能性の低い録画履歴情報を効率よく消去して、記録容量の節約を図ることができる。
さらに、表示制御手段により、録画予約手段により録画予約されて自動録画された録画番組とユーザ手動による通常の録画番組を識別することができるので、ユーザにとってさらに使い勝手が良い。
【００７１】
なお、本発明は、上記実施の形態に限定されることなく、本発明の趣旨を逸脱しない範囲において、種々の改良並びに設計の変更を行っても良い。
例えば、本発明は、ユーザ所望のタイミングに自動で、自動録画番組指定処理及び自動録画予約設定処理が行われるが、かかる処理を行うかどうかは、メニューによって、ユーザが選択できる設計であっても良い。
また、例えば、自動録画番組に指定されているが、録画したくない番組が存在する場合、自動録画番組指定一覧表示を設け、ユーザが自動録画に指定された番組を解除できる設計であっても良い。
また、自動録画番組指定処理では、録画回数が予め設定された録画回数以上であるか否かの条件に加え、所定の番組ジャンル情報の番組であるか否かの条件設定がなされているが、かかる所定の番組ジャンル情報の番組であるか否かの条件設定を付加するかどうかは、メニューによって、ユーザが選択できる設計であっても良い。
【図面の簡単な説明】
【００７２】
【図１】本発明における情報記録装置の機能的構成を示すブロック図である。
【図２】本発明における情報記録装置の表示制御手段による表示例の図で、（ａ）は自動録画された番組が識別可能な録画番組情報一覧表示の表示例の図である。また、（ｂ）は自動録画された番組に関する録画番組情報を通常の録画番組情報と別個の表示画面として表示した図である。
【図３】本発明における情報記録装置による通常動作に関する処理を説明するためのフローチャートである。
【図４】本発明における情報記録装置による自動録画番組指定処理を説明するためのフローチャートである。
【図５】本発明における情報記録装置による自動録画番組予約設定処理を説明するためのフローチャートである。
【符号の説明】
【００７３】
１        情報記録装置
７１      ハードディスク（記録手段）
１１２    ＣＰＵ（記録制御手段、判別手段、指定手段、検索手段、録画予約手段、消去手段、表示制御手段）
１１５ａ  記録制御プログラム（記録制御手段）
１１５ｂ  判別プログラム（判別手段）
１１５ｃ  指定プログラム（指定手段）
１１５ｄ  検索プログラム（検索手段）
１１５ｅ  録画予約プログラム（録画予約手段）
１１５ｆ  消去プログラム（消去手段）
１１５ｇ  表示制御プログラム（表示制御手段）
２００    テレビジョン受像機（表示手段）
【図１】
2007221617.tif 000003
【図２】
2007221617.tif 000004
【図３】
2007221617.tif 000005
【図４】
2007221617.tif 000006
【図５】
2007221617.tif 000007